(57)【要約】【課題】ディスクトレイの引き込み動作完了位置においてディスクトレイとベースシャシーとの衝突による騒音発生を抑止すること。【解決手段】ディスクトレイとこれを案内保持するベースシャシーとを備えた光ディスク装置であって、ベースシャシーには上面案内保持部と下面案内保持部をそれぞれ複数個設け、ディスクトレイには上面案内保持部及び下面案内保持部で案内保持される上下限規制面を設け、上面案内保持部と下面案内保持部との間の間隙はベースシャシー奥側部分の間隙がその他の部分の間隙よりも若干小さく形成され（ｔ１＞ｔ２）、上下限規制面の厚みはディスクトレイ前面側部分の厚みがその他の部分の厚みよりも若干厚く形成され（ｔ２＞ｔ０）、ディスクトレイが引き込み動作完了した際に、ベースシャシーの奥側部分と前面側部分で上下面案内保持部２０ａ，ｂと上下限規制面１０ａ，ｂとの間の隙間を無くする。【選択図】        図１
2004326924.tif 000002
【特許請求の範囲】
【請求項１】
光ディスクを搭載し光ディスク回転用ターンテーブルまで搬送するディスクトレイと、前記ディスクトレイを搬送案内し保持するベースシャシーと、を少なくとも備えて、光ディスクに信号を記録又は再生する光ディスク装置であって、
前記ベースシャシーは、前記ディスクトレイを搬送案内し保持するための上面案内保持部と下面案内保持部を前記搬送案内の方向に沿ってそれぞれ複数個設け、
前記ディスクトレイは、前記上面案内保持部及び前記下面案内保持部で搬送案内され保持される上下限規制面を設け、
前記ベースシャシーの前記上面案内保持部と前記下面案内保持部との間の間隙は、ベースシャシー奥側部分の間隙がその他の部分の間隙よりも若干小さく形成され、
前記ディスクトレイの前記上下限規制面の厚みは、ディスクトレイ前面側部分の厚みがその他の部分の厚みよりも若干厚く形成され、
前記ディスクトレイが引き込み動作完了した際に、前記ベースシャシーの奥側部分と前面側部分で前記上面案内保持部及び下面案内保持部と前記上下限規制面との間の隙間を無くする
ことを特徴とする光ディスク装置。
【請求項２】
請求項１において、
前記ベースシャシー奥側部分で間隙を形成する前記下面案内保持部は傾斜面を有し、
前記上下限規制面が前記傾斜面に沿って搬送案内されることにより前記隙間を徐々に無くする
ことを特徴とする光ディスク装置。
【発明の詳細な説明】
【０００１】
【発明の属する技術分野】
本発明は、ＣＤ、ＤＶＤ等のディスク媒体に対して磁気的、光学的、光磁気的に記録され、光学的に再生を行う光ディスク装置に関する。
【０００２】
【従来の技術】
従来技術における光ディスク装置の構成例を図３に基づいて説明する。図３は、ディスクトレイがローディング完了した状態での光ディスク装置の断面図である。図３において、１０はディスクトレイ、２０はベースシャシー、１０ａはディスクトレイの上限規制面であり、１０ｂはディスクトレイの下限規制面である。そして、ディスクトレイ１０の上限規制面１０ａ及び下限規制面１０ｂが、ベースシャシー２０の側面に設けられたディスクトレイ案内保持形状群２０ａ１〜２０ａ３及び２０ｂ１〜２０ｂ５にそれぞれ案内保持されてローディングされる。
【０００３】
ここで、ディスクトレイ１０がディスク出し入れのためにベースシャシー２０上を水平移動する際、ディスクトレイ１０の滑らかな移動を行うために、前記ベースシャシー２０上に形成された左右一対のディスクトレイ案内保持形状群２０ａ１〜２０ａ３と２０ｂ１〜２０ｂ５との間の間隙は、ディスクトレイ１０の被案内保持部厚みｔ０よりも若干大きく形成されている。即ち、ディスクトレイ案内保持形状群２０ａと２０ｂとの間の間隙ｔ１はディスクトレイ被案内保持部厚みｔ０よりも円滑な水平移動に必要な最小限の間隙ｓの分だけ大きくしている。
【０００４】
そして、ディスク引込み動作の完了位置においても前記間隙ｓが存在するために、光ディスク装置本体３０の記録又は再生動作に伴う振動、特に、ディスクの偏重心による振動がベースシャシー２０に伝播し、ディスクトレイ１０が揺動され、ディスクトレイ１０が前記間隙ｓを介してベースシャシー２０と衝突することによる騒音などを引き起こし易い構成となっていた。
【０００５】
【発明が解決しようとする課題】
現状では、光ディスクをより高速で回転して記録又は再生を行うという要求が少なく、上述した図３に図示するような構成の光ディスク装置でも騒音課題が少なかった。しかし、今後は光ディスク媒体の記録密度の向上および光ディスク装置本体の各デバイスの性能向上、或いは新たな記録方式の登場により、高速で記録および再生を行う需要が増加し、光ディスク装置本体を搭載するベースシャシーを含めたディスクローディング装置周辺における騒音抑制などによる品位および性能向上が求められる。
【０００６】
本発明の目的は、ディスクトレイとベースシャシーとの衝突音発生を抑止し得る光ディスク装置を提供することにある。
【０００７】
【課題を解決するための手段】
前記課題を解決するために、本発明は主として次のような構成を採用する。
光ディスクを搭載し光ディスク回転用ターンテーブルまで搬送するディスクトレイと、前記ディスクトレイを搬送案内し保持するベースシャシーと、を少なくとも備えて、光ディスクに信号を記録又は再生する光ディスク装置であって、
前記ベースシャシーは、前記ディスクトレイを搬送案内し保持するための上面案内保持部と下面案内保持部を前記搬送案内の方向に沿ってそれぞれ複数個設け、
前記ディスクトレイは、前記上面案内保持部及び前記下面案内保持部で搬送案内され保持される上下限規制面を設け、
前記ベースシャシーの前記上面案内保持部と前記下面案内保持部との間の間隙は、ベースシャシー奥側部分の間隙がその他の部分の間隙よりも若干小さく形成され、
前記ディスクトレイの前記上下限規制面の厚みは、ディスクトレイ前面側部分の厚みがその他の部分の厚みよりも若干厚く形成され、
前記ディスクトレイが引き込み動作完了した際に、前記ベースシャシーの奥側部分と前面側部分で前記上面案内保持部及び下面案内保持部と前記上下限規制面との間の隙間を無くする構成とする。
【０００８】
このような構成を採用することによって、ディスクトレイとベースシャシーとの衝突音発生を抑止することができる。
【０００９】
【発明の実施の形態】
本発明の実施形態に係る光ディスク装置について、図１及び図２を参照しながら以下説明する。図１の（Ａ）は本発明の実施形態に係る光ディスク装置におけるディスクトレイとベースシャシーを示す平面図であり、図１の（Ｂ）は図１の（Ａ）の光ディスク装置をａ−ａ線で切断したアンローディング状態の断面図であり、図１の（Ｃ）は図１の（Ａ）の光ディスク装置をａ−ａ線で切断したローディング完了状態の断面図である。図２は本実施形態に係る光ディスク装置においてディスクトレイを取り外した状態の斜視図である。なお、図２でディスクトレイは裏面から見た図である。
【００１０】
ここで、１０はディスクトレイ、１０ａはディスクトレイ上限規制面、１０ｂはディスクトレイ下限規制面、２０はベースシャシー、２０ａはベースシャシー上面案内保持部、２０ｂはベースシャシー下面案内保持部、３０は光ディスク装置本体、４０はリフター、５０は駆動系部品群、をそれぞれ表す。
【００１１】
本発明の実施形態に係る光ディスク装置は、ディスクトレイ１０と、ベースシャシー２０と、光ディスク装置本体３０と、リフター４０と、ディスクトレイおよびリフターを駆動する駆動部品群５０と、を備えている。
【００１２】
ディスクトレイ１０には、ベースシャシー１０上に形成された案内保持部２０ａ及び２０ｂに当接する左右一対の上限規制面１０ａ及び下限規制面１０ｂ１が厚みｔ０で形成されており、更に、下限規制面１０ｂはディスクトレイ１０の前面側部（ディスクトレイの挿入手前側部）のみが厚みｔ２でその他の下限規制面部分１０ｂ１より高さｓ分高くなっていて、この面を下限規制面１０ｂ２としている。したがって、ｔ２−ｔ０＝ｓ  の関係となる。
【００１３】
また、ベースシャシー２０には、ディスクトレイ１０を案内保持する左右一対のベースシャシー上面案内保持部２０ａ１〜２０ａ３とベースシャシー下面案内保持部２０ｂ１〜２０ｂ４が間隙ｔ１で形成されており、奥側のベースシャシー下面案内保持部２０ｂ５のみがその間隙をｔ２で形成されている（図１の（Ｂ）の右側部分の間隙ｔ１とｔ２の表記を参照）。この際、ｔ１とｔ２の関係は、ｔ１−ｔ２＝ｓ  となるようにする。
【００１４】
次に、本発明の実施形態に係る光ディスク装置のディスクトレイ引き込み動作を説明する。ディスクトレイ１０はベースシャシー２０上に形成された上下面案内保持部２０ａと２０ｂの間に沿って間隙ｓを保持して水平に移動し、ディスクトレイ１０の奥側端部がベースシャシー１０の奥側に形成されたベースシャシー下限案内保持部２０ｂ５に到達すると、同時にディスクトレイ１０の前面側部の被案内保持部であるディスクトレイ下限規制面（溝底部）１０ｂ２がベースシャシー２０の案内保持部２０ｂ１に到達するように構成されている（図１の（Ｂ）参照）。
【００１５】
駆動系部品群５０によるディスクトレイの挿入動作によって、徐々にディスクトレイ１０の奥側部の下限規制面１０ｂ１がベースシャシー２０の下面案内保持部２０ｂ５の傾斜面に乗り上げ（図１の（Ｂ）に示す２０ｂ５の案内傾斜構造を参照）、同時にディスクトレイ１０の前面側部の下面規制面１０ｂ２がベースシャシー２０の案内保持部２０ｂ１前端の傾斜面に乗り上げて行く。そうすると、ディスクトレイ１０の上下限規制面１０ａ，１０ｂである被案内保持部とベースシャシー２０の上下面案内保持部２０ａ，２０ｂとの間隙は、徐々にｓから０に変化して行き、引き込み動作完了位置ではディスクトレイ１０とベースシャシー２０との間隙は０となって、ディスクトレイ１０はベースシャシー２０に圧着固定される。
【００１６】
敷衍すると、本発明の実施形態に係る光ディスク装置では、上下限規制面の厚みがｔ０であるディスクトレイ１０は、その前面側部のみの厚みがｔ２であって、ｔ２−ｔ０＝ｓ  の関係を有し、更に、ディスクトレイの上下限規制面を案内するためのベースシャシーの上下面案内保持部の間隙がｔ１であり且つ奥側のみの間隙がｔ２であって、ｔ２−ｔ０＝ｓ  の関係を有する構成となっている。そして、ディスクトレイの引き込み動作完了位置では、奥側部において、ｔ０の厚みを有するディスクトレイ１０の上下限規制面は、ｔ２の狭い隙間となった上下面案内保持部２０ａ３，２０ｂ５で間隙が０となって保持される。同様に、前面側部においては、厚くされた厚みｔ２の上下限規制面は、ｔ１の間隙をもった上下面案内保持部で間隙が０となって保持される。
【００１７】
このような保持によって、ディスクトレイの引き込み動作完了位置において、ディスクトレイとベースシャシーとの衝突による騒音発生を抑止することができる。
【００１８】
【発明の効果】
本発明によれば、ディスクトレイはベースシャシー上のディスクトレイ案内保持部群に沿って間隙を有して前記ベースシャシー内部に水平に引き込まれ、移動完了直前に前記ベースシャシー上の奥側に形成にされた傾斜面を有する左右一対のやや高く形成された案内保持部と、前記ディスクトレイ前面側の左右一対の上下限規制面の厚さが他の連続する上下限規制面よりやや厚く形成されている被案内保持部と、を設けることによって、ディスクトレイの引き込み動作に伴って徐々に間隙が小さくなり、引き込み完了位置でディスクトレイが前記ベースシャシーに圧着固定される構造を備えることにより、ディスクトレイとベースシャシーとの衝突音発生を抑止することができる。
【図面の簡単な説明】
【図１】本発明の実施形態に係る光ディスク装置におけるディスクトレイのベースシャシーへのローディング状況を示す図である。
【図２】本実施形態に係る光ディスク装置においてディスクトレイを取り外した状態の斜視図である。
【図３】従来技術に関する光ディスク装置におけるディスクトレイのベースシャシーへのローディング状況を示す図である。
【符号の説明】
１０  ディスクトレイ
１０ａ  ディスクトレイ上限規制面
１０ｂ  ディスクトレイ下限規制面
２０  ベースシャシー
２０ａ  ベースシャシー上面案内保持部
２０ｂ  ベースシャシー下面案内保持部
３０  光ディスク装置本体
４０  リフター
５０  駆動系部品群
【図１】
2004326924.tif 000003
【図２】
2004326924.tif 000004
【図３】
2004326924.tif 000005